(57)【特許請求の範囲】
【請求項１】
ＩＳＯコンテナ用の大型輸送車（１）であって、走行駆動装置を備え、前記走行駆動装置に動力を提供するための電池（７）が前記大型輸送車（１）に設けられており、前記大型輸送車（１）から離れた所で充電を行うための交換ができるように、前記電池（７）は、前記大型輸送車（１）に着脱可能に取り付けられ、且つ、前記大型輸送車（１）の長手方向（Ｌ）と交差する方向に前記大型輸送車（１）に対して出し入れ可能とされており、前記電池（７）は鉛畜電池として構成され重量が６〜１０トンであり、前記大型輸送車（１）の許容総重量は少なくとも４０トンであり、
前記大型輸送車（１）は、前記電池（７）用の取り付けスペース（６）を有する車両フレーム（２）を備えており、前記取り付けスペースは、前記大型輸送車（１）の底部及び側部（１ａ）において開放しており、
前記大型輸送車（１）の長手方向（Ｌ）視において、前記取り付け空間（６）の前端及び後端には前記大型輸送車（１）の長手方向（Ｌ）と交差する方向に延びるキャリアレール（２ａ）が設けられており、前記電池（７）は前記キャリアレールに支持されている、大型輸送車。
【請求項２】
前記大型輸送車（１）は複数の前輪（４ａ）及び複数の後輪（４ｂ）を備えており、前記前輪（４ａ）は第１電気モータ（９ａ）によって駆動可能であり、前記後輪（４ｂ）は第２電気モータ（９ｂ）によって駆動可能である、請求項１に記載の大型輸送車。
【請求項３】
前記電池（７）は、前記前輪（４ａ）と前記後輪（４ｂ）との間に設けられている、請求項２に記載の大型輸送車。
【請求項４】
前記電池（１）は実質的に直方体形状であり、前記大型輸送車（１）の前記長手方向（Ｌ）における前記電池（７）の前面及び後面（７ｂ、７ｃ）には懸架部材（７ａ）が設けられており、前記懸架部材はそれぞれ前記前面及び前記後面（７ｂ、７ｃ）から突出しており、前記電池（７）は前記懸架部材（７ａ）を介して前記キャリアレール（２ａ）に支持されている、請求項１に記載の大型輸送車。
【請求項５】
前記懸架部材（７ａ）及び前記キャリアレール（２ａ）にはセンタリング要素が設けられており、前記電池（７）を取り付けスペース（６）内に入れ下降させてキャリアレール（２ａ）に支持させた際に、前記センタリング要素が前記懸架部材（７ａ）をキャリアレール（２ａ）に対して整列させる、請求項４に記載の大型輸送車。
【請求項６】
前記電池（７）には電気接続要素が設けられている一方、前記キャリアレール（２ａ）にはこれに対応する対極接続要素が設けられており、前記電池（７）を下降させて前記キャリアレール（２ａ）に支持させることによって、前記電気接続要素および対極接続要素を自動的に接続することができる、請求項４又は５に記載の大型輸送車。
【請求項７】
前記大型輸送車は、ＩＳＯコンテナ用の自動運転式大型輸送車（１）である、請求項１〜６のいずれか１つに記載の大型輸送車。
【発明の詳細な説明】
【技術分野】
【０００１】
本発明は、大型輸送車に関し、特に、走行駆動装置を備えたＩＳＯコンテナ用の自動運転式大型輸送車に関する。
【背景技術】
【０００２】
独国特許発明第４２０３７７８号明細書には、マニピュレーターが搭載された自動式地上車が開示されている。マニピュレーターは、地上車の走行によって複数のワークステーション間を自動的に移動することができ、各所において組み立て作業を行うことができる。当該地上車は、交換可能なニッケルカドミウム電池によって駆動される。電池は充電が必要になると自動的に交換ステーションにおいて取り換えられる。このため、当該地上車の車両フレームには電池取り付け用のスペースが設けられており、このスペースには、地上車の長手方向と交差する方向に整列したガイドレールが設けられている。電池の下面にはローラーが設けられており、このローラーがガイドレール上で転動する。地上車の動作中に電池がガイドレール上で動くのを防ぐため、車両フレームにはピンが設けられている。このピンは、あらかじめ電池に対して弾性的に付勢されており、地上車の動作中は電池の凹部に係合している。電池を交換する際は、当該ピンを油圧機構によって下げる。このようにして取り外し可能となった電池は、交換装置によって、ガイドレールに沿って横方向に車両フレームから引き出すことができる。この交換作業を行うために地上車は自動的に交換ステーションまで走行する。
【０００３】
独国特許出願公開第１０２００７０３９７７８号明細書も、ＩＳＯコンテナ輸送用の自動運転式大型輸送車を開示している。この輸送車は、車両フレームを備えており、当該車両フレームには少なくとも１つの昇降プラットホームが搭載されている。当該昇降プラットホームは、少なくとも１つの昇降駆動装置によって、下方輸送位置と上方輸送位置との間で昇降可能である。通常、このような輸送車はディーゼルエンジンによって駆動される。
【先行技術文献】
【特許文献】
【０００４】
【特許文献１】独国特許発明第４２０３７７８号明細書
【特許文献２】独国特許出願公開第１０２００７０３９７７８号明細書
【発明の概要】
【０００５】
上記従来技術を背景とし、本発明は、より環境に優しい大型輸送車、特に、ＩＳＯコンテナ用の自動運転式大型輸送車を提供することをその課題とする。
【０００６】
上記課題は、請求項１の特徴を有する大型輸送車、特に、ＩＳＯコンテナ用の自動運転式大型輸送車によって達成される。本発明の好適な実施形態は従属項２〜１２に記載されている。
【０００７】
本発明によれば、大型輸送車、特に、ＩＳＯコンテナ用の自動運転式大型輸送車において、走行駆動装置を設け、当該走行駆動装置に動力を提供するための電池を大型輸送車に設けたことにより、より環境に優しい構成とすることができる。トラクション電池としての電池によって作動する当該大型輸送車には、環境汚染物質の局所放出を完全に防止し、騒音をかなり低減できるという大きな利点がある。従って、周囲環境に対する悪影響はかなり少ない。ドライブトレインの効率もかなり向上させることができる。その結果、車両を動作させるのに必要な総動力量を低減することができる。従って、環境適合性をさらに改善する一方で、運転費用を削減することができる。これまで電気駆動力を与えるために用いられてきたディーゼル発電機に比べると、電池はそれほどメンテナンスを必要としない。従って、メンテナンス費用を削減することができる。電池を充電するための電流は種々の電源から得ることができるので、ディーゼル燃料の入手場所やコストの心配をすることなく車両を動作させることができる。
【０００８】
本発明において、大型輸送車とは、少なくとも１５トン、より好ましくは少なくとも２０トンの積み荷を輸送することができる車両のことをいう。大型輸送車用の積み荷の例としては、ＩＳＯコンテナやスワップボディコンテナが挙げられる。荷積み状態のスワップボディコンテナは、一般的に最大約１６トンである。荷積み状態で、ＩＳＯコンテナの重量は２０〜８０トンである。ＩＳＯコンテナの輸送がより好ましい。ここで、ＩＳＯコンテナとは、大型の規格化されたコンテナであり、荷受け部材用に規格化された昇降ポイント又は昇降コーナー部を有するもののことをいう。少なくとも１５トン、好ましくは少なくとも２０トンの積み荷を輸送できるものであれば、積み荷を積まずに走行する大型輸送車、あるいは空のＩＳＯコンテナ又はスワップボディコンテナを輸送する大型輸送車も本発明の範囲に含まれる。このような大型輸送車が複数の形態の輸送動作を行う場合もある。例えば、大型輸送車は、ＩＳＯコンテナやスワップボディコンテナだけでなく、セミトレーラー、スワップトレーラー、トレーラー、重量物運搬車、牽引用トラックなどの他の積み荷も輸送できる場合もある。
【０００９】
電池は、交換ができるように大型輸送車に着脱可能に取り付けられているので、大型輸送車の利便性が向上する。電池の充電作業は大型輸送車から離れた所で行うことができ、大型輸送車は、充電済みの交換可能電池によって運転を継続することができる。
【００１０】
大型輸送車の長手方向と交差する方向に出し入れすることによって電池を交換できるようになっているため、迅速な電池の交換が可能である。
【００１１】
好ましい形態によれば、大型輸送車は、複数の前輪及び複数の後輪を備え、前輪は第１電気モータによって駆動可能である一方、後輪は第２電気モータによって駆動可能である。この場合、電池は前輪と後輪との間に設けられる。
【００１２】
電池の交換をより簡単にするために、大型輸送車は、電池用の取り付けスペースを有する車両フレームを備えており、当該取り付けスペースは、大型輸送車の底部及び側部において開放している。
【００１３】
構造に関しては、大型輸送車の長手方向において、キャリアレールが取り付け空間の前端及び後端に設けられ且つ大型輸送車の長手方向と交差する方向に延びており、当該キャリアレールに電池が支持されている。
【００１４】
電池が実質的に直方体形状であり、大型輸送車の長手方向視における電池の前面及び後面には懸架部材が設けられており、懸架部材はそれぞれ上記前面及び後面から突出しており、電池は懸架部材を介してキャリアレールに支持されているという構成によれば、大型輸送車に対する電池の取り付けが特に便利になる。
【００１５】
本発明の大型輸送車は、電池の交換に関して特別の操作を要しないように構成することができる。すなわち、懸架部材及びキャリアレールに対しセンタリング要素を設けることにより、電池を取り付けスペース内に入れ下降させてキャリアレールに支持させる際に、センタリング要素が懸架部材をキャリアレールに対して適切に配置する構成とすることができる。また、電池には電気接続要素が設けられている一方、キャリアレールにはこれに対応する対極接続要素が設けられており、電池を下降させてキャリアレールに支持させることによって、これらの接続要素同士を自動的に接続することができるようになっている。
【００１６】
電池が鉛畜電池として構成され、好ましくは重量が６〜１０トンであることによって、大型輸送車の高い信頼性が達成される。鉛畜電池は車において長年使用されてきたものである。
【００１７】
本発明は、許容総重量が少なくとも４０トンである大型輸送車に特に好適に適用される。
【００１８】
以下、本発明を添付図面に示した実施形態に関して、より詳細に説明する。
【図面の簡単な説明】
【００１９】
【図１】ＩＳＯコンテナ用の自動運転式大型輸送車の上方からの斜視図である。
【図２】図１の大型輸送車の下方からの斜視図である。
【図３】図１の大型輸送車の側面図である。
【発明を実施するための形態】
【００２０】
図１は、ＩＳＯコンテナ５用の自動運転式大型輸送車１の上方からの斜視図である。大型輸送車１の自重は約３５トンである。この輸送車の自重に対して、輸送対象であるＩＳＯコンテナ５の重量が加わるため、荷積み状態では総重量は約８５トンとなる。大型輸送車１は、四輪車として構成されており、実質的に、車両フレーム２を有し、当該車両フレーム２に対して、２つの前輪４ａが共通のフロントアクスル３ａ上に取り付けられ、且つ２つの後輪４ｂが共通のリアアクスル３ｂ上に取り付けられた構成とされているが、これ以外の部材を含んでいてもよい。４つの車輪４ａ、４ｂはタイヤを備えている。車両フレーム２は、平坦なプラットホームを支持している。プラットホームは、輸送対象であるＩＳＯコンテナ５を載置するためのものである。
【００２１】
図から明らかなように、車両フレーム２は、電池７の取り付けスペース６を有している。取り付けスペース６は、車両フレーム２のプラットホームの下方に延びており、底部が地面８に向かって開放し、且つ、大型輸送車１の側部１ａにおいても開放している。取り付けスペース６は、大型輸送車１の前輪４ａと後輪４ｂとの間に設けられている。取り付けスペース６が大型輸送車１の長手方向Ｌ視において左右両側１ａに向かって開放しているため、大型輸送車１から離れた所において電池７を充電する際に、大型輸送車１の長手方向と交差する着脱方向Ｅに移動させることによって、電池７を容易に交換することができる。さらに、取り付けスペース６の底部が開放しているため、フォークリフトトラックのような操作装置によって電池７の取り外しを行うことができる。当該電池７は鉛蓄電池として構成され、重量は約８〜９トンである。この電池７を用いることによって、大型輸送車１を約６〜８時間作動させることができる。
【００２２】
図２は、図１の大型輸送車の下方からの斜視図である。図１を参照して既に述べた要素に加えて、図２には大型輸送車１の走行駆動装置が示されている。当該走行駆動装置は、実質的に、フロント電気モータ９ａ、フロントトランスファーギアボックス１０ａ、リア電気モータ９ｂ、及びリアトランスファーギアボックス１０ｂによって構成されるが、これら以外の要素を含んでいてもよい。フロント電気モータ９ａは、車両フレーム２の下方のフロントアクスル３ａの近傍に取り付けられており、大型輸送車１の長手方向Ｌ視において中央に取り付けられている。リア電気モータ９ｂは、車両フレーム２の下方のリアアクスル３ｂの近傍に取り付けられており、大型輸送車１の長手方向Ｌ視において中央に取り付けられている。フロント電気モータ９ａは、フロントトランスファーギアボックス１０ａを介して２つの前輪４ａを駆動し、リア電気モータ９ｂは、リアトランスファーギアボックス１０ｂを介して２つの後輪４ｂを駆動する。このように、大型輸送車１は、四輪駆動装置を備えている。
【００２３】
図から明らかなように、電池７とフロントアクスル３ａとの間には、制御部品を収容するためのスイッチキャビネット１１を車両フレーム２の下方に取り付けるための空間が設けられている。
【００２４】
図３は、大型輸送車の側面図である。同図から明らかなように、電池７はキャリアレール２ａを介して大型輸送車１の車両フレーム２に取り付けられている。具体的には、２つのキャリアレール２ａが互いに離間し且つ水平方向に整列して設けられており、それぞれが、ブラケット２ｂを介して所定の高さ位置で車両フレーム２に取り付けられている。これらのキャリアレール２ａは、車両の長手方向Ｌにおいて、取り付けスペース６の前縁及び後縁を画定している。キャリアレール２ａに電池７を取り付けることができるように、直方体形状の電池１における前面７ｂおよび後面７ｃそれぞれの角部近傍には、横方向に突出する懸架部材７ａが設けられている。これら懸架部材７ａは、電池７の作動中は大型輸送車１のキャリアレール２ａに支持されている。このように車両フレーム２内の上部に電池７を取り付けることによって、フォークリフトトラック又はその他の昇降装置を、電池７の下方に容易に進入させることができ、好都合である。また、フォークリフトトラック又はその他の昇降装置を垂直昇降方向Ｓに作動させることによって懸架部材７ａを持ち上げてキャリアレール２ａから外し、大型輸送車１から着脱方向Ｅに電池７を取り外すことができる。これに関し、電池７は、図示しないセンタリング要素によって、キャリアレール２ａに対し整列させられるとともに横滑りしない構成とされているが、昇降方向Ｓへの垂直移動によって、センタリング要素によるロックから解除される。また、電池７を走行駆動装置に対して電気的に接続するために、電池７には電気接続要素が、キャリアレール２ａには同接続要素に対応する対極接続要素が設けられているが、電池７を昇降方向へ移動させることにより、電気接続要素と対極接続要素との電気的接触状態を解除することができる。このように、大型輸送車１は、ロックの解除及び電気的接触状態の解除に際し、特別の操作を要しないという利点を有する。
【００２５】
上記大型輸送車及びこれに関連する電池交換システムは、波止場周辺地域及び道路と鉄道との間の協同一貫輸送におけるＩＳＯコンテナの輸送にも適用可能である。
【００２６】
本発明をＩＳＯコンテナ輸送用の大型輸送車について上述したが、原則として、例えば冶金、鉄鋼、圧延などにおいて、板状あるいはコイル状の金属材などの、ＩＳＯコンテナ以外の重荷を輸送することもできる。
【符号の説明】
【００２７】
１    大型輸送車
１ａ  側部
２    車両フレーム
２ａ  キャリアレール
２ｂ  ブラケット
３ａ  フロントアクスル
３ｂ  リアアクスル
４ａ  前輪
４ｂ  後輪
５    ＩＳＯコンテナ
６    取り付けスペース
７    電池
７ａ  懸架部材
７ｂ  前面
７ｃ  後面
８    地面
９ａ  フロント電気モータ
９ｂ  リア電気モータ
１０ａ  フロントトランスファーギアボックス
１０ｂ  リアトランスファーギアボックス
１１  スイッチキャビネット
Ｅ    着脱方向
Ｌ    長手方向
Ｓ    昇降方向
【図１】
0005699260.tif 000002
【図２】
0005699260.tif 000003
【図３】
0005699260.tif 000004